(57)【要約】【課題】  回胴表示装置ユニットを容易に脱着できると共に、遊技者の視認性を向上するスロットマシンのユニット構造を提供することを目的とする。【解決手段】  回転変動表示する複数個の回胴表示装置ユニット６を内蔵し前面にデザインパネル付き保護板を備えた遊技ユニット８が中枠に配設されている。前記遊技ユニット８は、少なくとも前記複数個の回胴表示装置ユニット６を制御する信号線を通す切り欠き部７０が背部に設けられると共に、当該遊技ユニット６の背部には、スロットマシンの遊技制御を行なう主制御基板を配設してある。前記複数個の回胴表示装置ユニット６は、ワンタッチ式の止着装置６４ａ、６４ｂにより前記遊技ユニット８内にそれぞれ固定され、該遊技ユニット８から、それぞれ独立して着脱可能である。【選択図】        図３
2005168842.tif 000002
【特許請求の範囲】
【請求項１】
遊技機枠に収納される枠体が前枠、中枠、外枠とで構成され、前記前枠および中枠は、前記外枠に対して同方向に片開き可能に取付けられ、
回転変動表示する複数個の回胴表示装置ユニットを内蔵し前面にデザインパネル付き保護板を備えた遊技ユニットが前記中枠に配設され、
前記遊技ユニットは、少なくとも前記複数個の回胴表示装置ユニットを制御する信号線を通す切り欠き部が背部に設けられると共に、当該遊技ユニットの背部には、スロットマシンの遊技制御を行なう主制御基板を配設し、
前記複数個の回胴表示装置ユニットは、前記遊技ユニット内にワンタッチ式の止着装置によりそれぞれ独立して着脱可能に固定されていることを特徴とするスロットマシンのユニット構造。
【発明の詳細な説明】
【技術分野】
【０００１】
本発明は、スロットマシンのユニット構造に関し、特に、回転変動表示する複数個の回胴表示装置ユニットの交換を容易にする遊技ユニットのユニット構造に関するものである。
【背景技術】
【０００２】
従来、可変表示ゲームを行う可変表示ドラム装置が収容された本体ケースの前側開口部に、ゲームを視認するための窓が設けられていて、所定数の球を一単位として所望単位ずつ賭けてゲームを行う、スロットマシンの如き遊技装置が知られている（例えば、特許文献１参照。）。この種の遊技装置に、例えば、パチンコ球を用いてゲームを行わせるようにすれば同じ遊技場内においてパチンコ機と共通の剛球を使用できるので、パチンコ遊技店内のパチンコ球補給装置及び計数装置並びに中央管理装置（集中管理装置）を廃棄することなく共用できる。従って、同一の島設備に、パチンコ機と、パチンコ球を用いたスロットマシンの如き遊技装置などを混在させることができるという利点がある（例えば、特許文献２参照。）。パチンコ機では、遊技によってその遊技盤が汚損されたり、遊技盤のデザインが陳腐化することを防止するため、定期的に遊技盤の交換が行われる。その際、パチンコ機においては、そのマシン本体部が取付けられているパネルのみを交換することが可能である。この交換は、「パネル換え」と称されている。これに対してスロットマシンの場合、ドラムに表示される図案やその周辺部のデザインが陳腐化した場合、スロットマシン全体を交換しなければならない。
【０００３】
前記特許文献２に開示されている遊技装置は、図６に示すように、本体ケース２００は、天板２０５、底板２０６、左右の側板２０７、２０８および背面板２０９により、上下左右および背面部が囲まれた箱型ケースとして構成されている。また、本体ケース２００と、該本体ケース２００の前側開口部にヒンジを介して開閉可能に取り付けられた図示していない前面枠とを備えている。本体ケース２００内の中段には棚板３６が懸け渡され、該棚板３６上に可変表示ゲームを行なわせる可変表示ドラム装置６００が設置されている。本体ケース２００内の上段には賞球用の球を貯留するメインタンク（貯留タンク）４１０、サブタンク（貯留タンク）４２０および賞球排出樋４３０が順次連通した状態で設置されている。本体ケース２００の天板２０５には該メインタンク４１０中に球補給を行なうための補給用開口部２０１が設けられている。本体ケース２００内の左寄りには球抜き樋５５０が設置され、下段には、遊技装置の制御を行なうメイン制御装置２５０が、下段右側には、メイン制御装置２５０に電気を供給する電源装置３７０が設置されている。可変表示ドラム装置６００は、メイン制御装置２５０と線２９９により接続されている。前記前面枠の前面側上部にはパネル表示部が設けられている。このパネル表示部の中央には可変表示部としての３つの可変表示窓が設けられ、可変表示ドラム装置６００の回転図柄が表示される。
【０００４】
図７に示すように、可変表示ドラム装置６００は、ドラムボックス６１０と、該ドラムボックス６１０中に設置された３つのドラムユニット６６０、６７０、６８０と、これらドラムユニット６６０、６７０、６８０を信号線２９９によりメイン制御装置２５０（図６参照）に電気的に接続するための接続コネクタ６４０等を備えている。ドラムユニット（６６０、６７０、６８０）は、仕切板、該仕切板に取付枠を介して取り付けられたパルスモータ（いずれも図示せず）、該パルスモータの駆動軸に取り付けられた可変表示ドラム（６６７、６７７、６８７）および前記可変表示ドラムの内側に取り付けられた照明装置等を備えている。前記ドラムボックス６１０は、前面開口の中空状の箱として作られ、ドラムボックス６１０の側壁板６８１ａはドラムユニット６６０の、側壁板６８１ｂはドラムユニット６８０の側壁板を、それぞれ兼ねている。
【０００５】
ドラムボックス６１０の前面側開口部には、透明（又は半透明）な前カバー６５０が、その上端部を、その前面側開口部の上端部に設けられた軸受部６１１、６１１に支軸６５１を介して支持されている。そして、その支持された状態で、前カバー６５０はその支軸６５１を軸心として下端側が上下動する方向に回動（開閉）可能となっている。ドラムボックス６１０上方のメインタンク４１０やサブタンク４２０等からのこぼれ球は、その透明な前カバー６５０に当たるだけでドラムボックス６１０中の可変表示ドラム６６７、６７７、６８７に傷付けることはない。また、このドラムボックス６１０の屋根６０１の上面は、その後部側が低くなるように滑らかに傾斜した傾斜面となっている。従って、ドラムボックス６１０上方のメインタンク４１０やサブタンク４２０等からそのドラムボックス６１０の上面に落下したこぼれ球はその屋根６０１の傾斜面に導かれてドラムボックス６１０の後方から回収される。
【０００６】
【特許文献１】特開昭６２−２４６３９０号公報
【特許文献２】特開平５−１１５５９７号公報
【発明の開示】
【発明が解決しようとする課題】
【０００７】
前記特許文献２に開示されている遊技装置では、本体ケース２００内の中段には棚板３６が懸け渡され、該棚板３６上に可変表示ドラム装置６００が設置されている。該可変表示ドラム装置６００は、ドラムボックス６１０と、該ドラムボックス６１０中に設置された３つのドラムユニット６６０、６７０、６８０と、メイン制御装置２５０に電気的に接続するための接続コネクタ６４０等を備えている。前記ドラムボックス６１０は、前面開口の中空状の箱として作られ、ドラムボックス６１０の側壁板６８１ａはドラムユニット６６０の、側壁板６８１ｂはドラムユニット６８０の側壁板を、それぞれ兼ねている。
【０００８】
このように、ドラムユニットは、それぞれドラムボックス６１０に収納されていて、ドラムボックス６１０とドラムユニット６８０とは、その側壁板６８１ａと側壁板６８１ｂとをドラムボックス６１０と共用している。そのため、例えばドラムボックスのベルトが切れたり、汚れたりした場合、それが例え１個のドラムユニットであっても、ドラムボックス６１０全体を引き出して修理、交換しなくてはならない。特に、ドラムボックス６１０とドラムユニット６８０とは、その側壁板６８１ａと側壁板６８１ｂとをドラムボックス６１０と共用しているために、その作業は工数がかかる。また、ドラムユニットのデザインが陳腐化したばあいなど、全てのドラムユニットのネジを外し、ドラムボックスから取りだして交換する必要がある。
【０００９】
一方、同じ遊技場内においてパチンコ機と共通の剛球を使用して同一の島設備に、パチンコ機と、パチンコ球を用いたスロットマシンの如き遊技装置などを混在させて設置するには、パチンコ機と、パチンコ球を用いたスロットマシンとは、同じ外枠寸法であることが好ましい。また、スロットマシンは、遊技者の視認性を高めるためには可変表示ドラム装置は、大きいことが好まれる。しかし、前記特許文献２に開示されている遊技装置では、メイン制御装置２５０は、可変表示ドラム装置６００の下方に配設されている。そのために、制限された外枠寸法では、メイン制御装置の分だけ可変表示ドラム装置が小型になり、それに伴ない遊技者の視認性が低下する。
本発明は、上記課題を解決するためになされたもので、回胴表示装置ユニットを容易に脱着できると共に、遊技者の視認性を向上するスロットマシンのユニット構造を提供することを目的とする。
【課題を解決するための手段】
【００１０】
本発明は、前記課題を解決するために、遊技機枠に収納される枠体が前枠、中枠、外枠とで構成され、前記前枠および中枠は、前記外枠に対して同方向に片開き可能に取付けられ、回転変動表示する複数個の回胴表示装置ユニットを内蔵し前面にデザインパネル付き保護板を備えた遊技ユニットが前記中枠に配設され、前記遊技ユニットは、少なくとも前記複数個の回胴表示装置ユニットを制御する信号線を通す切り欠き部が背部に設けられると共に、当該遊技ユニットの背部には、スロットマシンの遊技制御を行なう主制御基板を配設し、前記複数個の回胴表示装置ユニットは、前記遊技ユニット内にワンタッチ式の止着装置によりそれぞれ独立して着脱可能に固定されていることを特徴とする。
【発明の効果】
【００１１】
遊技ユニットが前記中枠に配設され、該遊技ユニット内にユニット化された複数個の回胴表示装置ユニットを設け、該回胴表示装置ユニットは、ワンタッチ式の止着装置により前記遊技ユニット内にそれぞれ固定され、該遊技ユニットから、それぞれ独立して着脱可能であることによって、スロットマシンの組立、修理、交換が容易になる。また、前記遊技ユニットは、少なくとも前記複数個の回胴表示装置ユニットを制御する信号線を通す切り欠き部が背部に設けられると共に、当該遊技ユニットの背部には、スロットマシンの遊技制御を行なう主制御基板を配設することにより、限られた外枠寸法で、回胴表示装置ユニットの表示画面を大きくすることができ、遊技者の視認性を高められ、遊技の興趣を高められる。
【発明を実施するための最良の形態】
【００１２】
図１乃至図５に基づいて本発明の実施形態のスロットマシンについて説明する。遊技機枠１００は、図１に示すような皿装置２０を備えた前枠２と、後部枠１（中枠１２と外枠９）とで構成され、前枠２が上、下ヒンジ３、４を介して後部枠１に対して片開き可能に取付けられている。この遊技機枠１００に、図示していない制御装置、球取込装置及び回胴表示装置ユニット６、遊技ユニット８、その他の遊技部品で構成されるスロットマシン本体が搭載されてスロットマシンが構成される。
【００１３】
後部枠１は、島等と呼称される遊技機設置設備に設置される外枠９と、この外枠９に上、下ヒンジ１０、１１を介して外枠９に対して前枠２と同方向に片開き可能に取付けられた中枠１２とで構成される。前枠２の上ヒンジ３は、中枠１２の左上隅部のヒンジ部材１３に設けられた孔１４と、前枠２の左上隅部のヒンジ部材１５の内部に設けられて上記孔１４に回転可能に挿着される図示されていない軸とで構成されている。下ヒンジ４は、前枠２の左下隅部のヒンジ部材１６に設けられた孔１７と中枠１２の左下隅部の図示されていないヒンジ部材に設けられて上記孔１７に回転可能に挿着される図示されていない軸とで構成されている。上、下ヒンジ１０、１１（図２参照。）も同様に、外枠９と中枠１２の左上隅部に設けられた一対の図示されていない孔と軸とにより上ヒンジ１０が構成され、外枠９と中枠１２の左下隅部に設けられた一対の図示されていない孔と軸とにより下ヒンジ１１が構成されている。
【００１４】
前枠２は、下部に皿装置２０を備え、上部には、中央が開口部２１に形成された前面装飾部２２を備える。前面装飾部２２は、開口部２１の両側にサイドランプ２３ｓ、２３ｓを備え、開口部２１の上部にトップランプ２３ｔを備え、トップランプ２３ｔを挟むように左右両側に高音スピーカ２４、２４を備える。高音スピーカ２４、２４は、遊技者が音を聞き取りやすいように、やや内方に傾けて配置されている。開口部２１は、纂２５を介して区画された上部開口部２６と下部開口部２７とを備える。中枠１２の右側部中央の前側には錠２８が設けられ、この錠２８に図示されていない専用の鉤を差し込んで左に回動することにより、前枠２と中枠１２との間のロックが解除されて、前枠２がヒンジ３、４を支点として片開き可能となる。また、錠２８を右に回動すると中枠１２と外枠９との間のロックが解除されて中枠１２がヒンジ１０、１１を支点として前枠２とともに片開き可能となる。
【００１５】
皿装置２０は、前枠２の前面装飾部２２より前方に突出し、下方に行くにしたがってその横幅が狭くなる形態に形成されている。皿装置２０の球収納部３１は、上部開放形状に形成され、球収納部３１は、図示されていない球貸機の球排出ノズルからの貸球を受ける。皿装置２０の前面には、遊技開始指示手段としてのスタートレバースイッチ部５１と、このスタートレバースイッチ部５１からのスタート信号を入力した主制御基板を有する制御装置８０１（図５参照。）により、複数の回胴表示装置ユニット６（図２、図３参照。）の回転をそれぞれ停止させて表示窓８３に図柄を停止させる第１図柄停止ボタンスイッチ部６０、第２図柄停止ボタンスイッチ部６１、第３図柄停止ボタンスイッチ部６２とを備えている。
【００１６】
皿装置２０の上面には、最大の賭球数（ＭＡＸＢＥＴ）を設定するＭＡＸＢＥＴボタンスイッチ部７１、ＭＡＸＢＥＴよりも小さな賭球数を設定する１ＢＥＴボタンスイッチ部７２、賭球数の設定を取り消すキャンセルボタンスイッチ部７３、遊技者が獲得あるいは投入した球を精算して球を回収するための設定手段である球抜きボタンスイッチ部７４がそれぞれ並べて設けられている。なお、１ＢＥＴボタンスイッチ部７２は、スタートレバースイッチ部５１の操作によるゲーム開始前に設定するものであり、１回目の設定で１ＢＥＴの設定、２回目の設定で２ＢＥＴの設定、３回目の設定で３ＢＥＴ即ちＭＡＸＢＥＴの設定が可能となる。ＭＡＸＢＥＴ設定後１ＢＥＴ、２ＢＥＴに設定し直したい場合にはキャンセルボタンスイッチ部７３を操作することにより、１ＢＥＴボタンスイッチ部７２は初期状態にリセットされ１ＢＥＴの設定が可能となる。
【００１７】
中枠１２は、その上部に遊技ユニット８を収納する遊技ユニット収納部９９を有する。遊技ユニット８は、制御装置８０１、回胴表示装置ユニット６、液晶表示器６Ａ、賞数（ＰＡＹＯＵＴ）表示器９２、ボーナス（ＢＯＮＵＳ）ゲームのゲーム回数又は残ゲーム回数を表示する表示器９３、クレジット球数を表示するクレジット表示器９４、取込球数を表示する表示器、即ち、賭球数表示器９５が配設されている（図２参照。）。また、図２に示すように、中枠１２の低音スピーカ７５が設けられている位置の左横には、前枠２の裏面に取付けられた球取込装置７を収納するための収納孔７９が形成されている。中枠１２の下部には、低音スピーカ７５等の様々な遊技部品が取付けられている。中枠１２には遊技ユニット８が取付部７６を介して取付けられ、遊技ユニット８のデザインパネル付き保護板８Ａは、前枠２の開口部２１を介して遊技者に見えるようになっている。図３に示すように、遊技ユニット８は、デザインパネル付き保護板８Ａと、このデザインパネル付き保護板８Ａが取付けられた遊技パネル取付枠８Ｂと、取付枠８Ｃとで構成されている。遊技ユニット８は、遊技パネル取付枠８Ｂが蝶番８７により取付枠８Ｃに片開き可能に取りつけられ、遊技パネル取付枠８Ｂは、デザインパネル付き保護板８Ａにより表面を覆われている（図２参照。）。
【００１８】
前記デザインパネル付き保護板８Ａは、表示窓８２、８３及び前記表示器９２、９３、９４、９５等の開口窓９２ａ、９３ａ、９４ａ、９５ａ以外を塗料などで塗装して内部が見えないように構成されたデザインパネルと、透明の樹脂、あるいはガラス板などで構成され、前記デザインパネルと同じ形状の保護板で構成されている。表示窓８２、８３及び前記表示器９２、９３、９４、９５等の開口窓９２ａ、９３ａ、９４ａ、９５ａを介して回胴表示装置ユニット６の各回胴リールに設けられた変動図柄及び回胴リールが停止した場合の停止図柄、液晶表示装置６Ａ、表示器９２、９３、９４、９５等の表示を遊技者が見ることができる。デザインパネル付き保護板８Ａは、遊技パネル取付枠８Ｂに設けられた係止用の爪８２ａにより前面から係止される。
【００１９】
前記蝶番８７が設けられている反対側の取付枠８Ｃと遊技パネル取付枠８Ｂとが対向する位置にマグネット８８が配設され、該マグネットが互いに吸着して取付枠８Ｃと遊技パネル取付枠８Ｂとを保持する。取付枠８Ｃと遊技パネル取付枠８Ｂとは、つまみ７７を引くことにより前記マグネット８８が離され片開きに開閉される。取付枠８Ｃは、位置決め孔７６ａ及び係止部８２ｂを備えていると共に、その中央部に遊技ユニット８を収納する凹部（収納部８９）が形成されている。上記位置決め孔７６ａ及び係止部８２ｂは、取付枠８Ｃの上部両側に、それぞれ形成されている。収納部８９の蝶番８７が設けられている側には、制御基板９００が、マグネット８８が設けられている側には電源ユニット９１０が、それぞれ備えられている。
【００２０】
液晶表示器取りつけ枠５５には、液晶表示器６Ａが取りつけられていて、該液晶表示器取りつけ枠５５は、取付枠８Ｃの上部両側に設けられた孔８０ｂに挿入される、周知のスナップラッチ（登録商標）あるいはナイラッチ（登録商標）と呼ばれるワンタッチ式の止着装置８０ａにより取付枠８Ｃの上部に固定され、液晶表示器６Ａの表示面と前枠２の表示窓８２とが一致する。中枠１２には、前記係止部８２ｂと係合する係合部８００が設けられていて、該係合部８００は、つまみにより回転し、前記係止部８２ｂの先端と係合し、中枠１２の遊技ユニット収納部９９に収納される遊技ユニット８を固定する。このように、係合部８００を回動させるだけで簡単に遊技ユニット８を中枠１２に取付けることができる。
【００２１】
前記収納部８９には、複数個の回胴表示装置ユニット６を分離する仕切り板８６が上部に設けられている。遊技ユニット８の背部（収納部８９の底）には、複数個の回胴表示装置ユニット６を制御する信号線９０（９０ａ、９０ｂ）（図５参照。）を通す、切り欠き部７０が、それぞれ設けられている。該信号線９０は、図５に示すように、制御装置８０１から出力され、中継基板９２ａを介して前記切り欠き部７０に通される。
【００２２】
回胴表示装置ユニット６は、図示されていない駆動モータに連結され、外周間の円周方向に滑止め係合部を備える駆動円形リング体と該駆動円形リング体に対して所定軸心間位置に配置された従動円形リング体とを備えている。また、無端ベルト状態に形成され複数種類、複数コマ分の図柄を所要の間隔順序に形成配置した図柄表示部材６ａが、駆動円形リング体に滑止め係合する前記駆動円形リング体と前記従動円形リング体とを備えて、駆動モータの駆動に基いて回転／停止制御される回転図柄表示体を備えている。前記回転／停止制御は、制御装置８０１（図５参照。）によりなされる。
【００２３】
図３、図４により前記回胴表示装置ユニット６の取りつけ構造について説明する。前記回胴表示装置ユニット６は、側壁板６３を有していて、該側壁板６３に駆動円形リング体を回転する駆動モータが固定されている。側壁板６３の上部及び下部には鍔部６４が形成されていて、該鍔部６４には、取付枠８Ｃの上部及び下部に設けられた凸部６５ｃが挿入される孔６５ａ、６５ｂが形成されている。更に該鍔部６４には、取付枠８Ｃの上部及び下部に設けられた孔６４ｃ、６４ｄに挿入されるワンタッチ式の止着装置６４ｂ、６４ａが、それぞれ備えられている。
【００２４】
複数個の回胴表示装置ユニット６（図３においては３個）は、取付枠８Ｃに形成された収納部８９に以下のようにして収納される。例えば、表示窓８３から見て、前面左端の回胴表示装置ユニット６では、仕切り板８６と回胴表示装置ユニット６の側壁板６３とを沿わせて収納部８９に回胴表示装置ユニット６を挿入し、取付枠８Ｃの上部及び下部に設けられた凸部６５ｃを鍔部６４に形成された孔６５ａ、６５ｂに挿入して位置を決める。次に、孔６４ｃ、６４ｄにワンタッチ式の止着装置６４ｂ、６４ａを挿入し、回胴表示装置ユニット６を取付枠８Ｃに固定する。他の回胴表示装置ユニット６も以下同様にして、取付枠８Ｃに固定する。このように、回胴表示装置ユニット６は、ワンタッチ式の止着装置６４ｂ、６４ａの押抜により容易に着脱ができる。全ての回胴表示装置ユニット６をワンタッチ式の止着装置６４ｂ、６４ａにより固定した後、図柄表示部材６ａの浮きあがりを防止する浮き上がり防止部材３２を側壁板６３の間に配設する。なお、図３においては、前記浮き上がり防止部材３２は、中央の回胴表示装置ユニット６の両端のみ図示してあるが、全ての回胴表示装置ユニット６の両端に浮き上がり防止部材３２を配設する。
【００２５】
図５に示すように、遊技ユニット８の背部（収納部８９の底）には、複数個の回胴表示装置ユニット６を制御する信号線９０ａ、回胴表示装置ユニット６の回胴部を内部から照明するランプを点灯する電源線９０ｂを通す切り欠き部７０が形成されている。更に、切り欠き部７０下方には、遊技ユニット８の背部に制御装置８０１がワンタッチ式の止着装置８０３（上部のみ図示し、下部のワンタッチ式の止着装置は図示されていない。）により、着脱可能に取りつけられている。制御装置８０１の主制御基板８０５の一部は、保護ケース８０４により覆われている。遊技ユニット８の上部には中継基板９２ａ、９２ｂが、それぞれ設けられている。遊技ユニット８の背部、切り欠き部７０の横には、中継基板９２ｃが設けられている。
【００２６】
前記制御装置８０１からは、ソケット９１ａを介して中継基板９２ａに設けられたソケット９１ｂに信号線９１が出力されている。該信号線９１は、中継基板９２ａ内で複数個の回胴表示装置ユニット６それぞれに信号を供給できるように分配され、ソケット９０２ａ、９０２ｂ、９０２ｃに出力されている。該ソケット９０２ａ、９０２ｂ、９０２ｃからは、複数個の回胴表示装置ユニット６に対して、前記切り欠き部７０を通り、回胴表示装置ユニット６に設けられたソケット９０３ａ、９０３ｂ、９０３ｃに接続される先端にソケット９０１ａ、９０１ｂ、９０１ｃを有する信号線９０ａが、それぞれ出力されている。前記ソケット９０３ａ、９０３ｂ、９０３ｃとソケット９０１ａ、９０１ｂ、９０１ｃとを結合することにより、制御装置８０１から回胴表示装置ユニット６に信号が供給される。
【００２７】
中継基板９２ｃに設けられたソケット９２０ａ、９２０ｂ、９２０ｃからは、回胴表示装置ユニット６に設けられたソケット９２２ａ、９２２ｂ、９２２ｃに接続される先端にソケット９２１ａ、９２１ｂ、９２１ｃを有する信号線９０ｂが、それぞれ出力されている。中継基板９２ｂに設けられたソケット９２４ｂ、９２４ｃからは、図示されていない液晶表示器へ信号線９０ｃが、ソケット９２４ａからは液晶表示器に使用される冷陰極管を点灯する線９０ｄが、それぞれ接続されている。制御基板９００に設けられたソケット９００ａ、９００ｂからは、主制御基板８０５に設けられたソケット８０５ａへ信号線９０ｆが、中継基板９２ｂ、９２ｃに設けられたソケット９２４ｄ、９２０ｄへ信号線９０ｅ、９０ｇが、それぞれ接続されている。前記ソケット９０１ａ、９０２ａ、９０３ａおよびソケット９２１ａ、９２１ｂ、９２１ｃを外して、前述したようにワンタッチ式の止着装置６４ｂ、６４ａを引くことによって容易に回胴表示装置ユニット６を遊技ユニット８から取外せる。なお、中継基板９２ａ、９２ｃを用いずに、制御装置８０１から直接回胴表示装置ユニット６に設けられたソケット９０３ａ、９０３ｂ、９０３ｃ、９２２ａ、９２２ｂ、９２２ｃに接続するようにしてもよい。
【００２８】
このように、遊技ユニット８の背部に制御装置８０１を備えることにより、制御装置８０１が占める容積の分だけ回胴表示装置ユニット６の回胴表示面積を大きくでき、遊技者の視認性を向上できる。また、遊技ユニット８の背部に切り欠き部７０を形成することによって、回胴表示装置ユニット６と制御装置８０１との接続線の長さを短くでき、コストの低減と共に回胴表示装置ユニット６または制御装置８０１への、雑音の発生あるいは外部からの雑音の侵入を低減できる。更に、ソケット９０１ａ、９０２ａ、９０３ａとソケット９０３ａ、９０３ｂ、９０３ｃとを外して前述したようにワンタッチ式の止着装置６４ｂ、６４ａの押抜によって容易に回胴表示装置ユニット６の取りつけ、取外しが可能となり、組立、保守時の作業性が向上する。
【図面の簡単な説明】
【００２９】
【図１】本発明の実施形態によるスロットマシンの分解斜視図である。
【図２】本発明の実施形態によるスロットマシンの組立斜視図である
【図３】本発明の実施形態によるスロットマシンの遊技ユニット８の分解斜視図である。
【図４】本発明の実施形態による図３の一部拡大図であって、（ａ）は取付枠８Ｃの下部に設けられた孔６４ｃ、（ｂ）は下部鍔部６４のワンタッチ式の止着装置６４ｂである。
【図５】本発明の実施形態によるスロットマシンの遊技ユニット８の後部斜視図（ａ）と切り欠き部７０近傍の拡大図（ｂ）である。
【図６】従来の遊技装置の前面斜視図である。
【図７】従来の遊技装置の可変表示ドラム装置６００の斜視図である。
【符号の説明】
【００３０】
１  後部枠、２  前枠、６  回胴表示装置ユニット、６Ａ  液晶表示器、７  球取込装置、８  遊技ユニット、８Ｂ  遊技パネル取付枠、８Ｃ  取付枠、８Ａ  デザインパネル付き保護板、９  外枠、１２  中枠、６３  側壁板、７０  切り欠き部、８０１  制御装置、８０５  主制御基板、６４ａ、６４ｂ、８０ａ、８０３  ワンタッチ式止着装置
【図１】
2005168842.tif 000003
【図２】
2005168842.tif 000004
【図３】
2005168842.tif 000005
【図４】
2005168842.tif 000006
【図５】
2005168842.tif 000007
【図６】
2005168842.tif 000008
【図７】
2005168842.tif 000009